(57)【要約】【課題】ヘラ状の転写ヘッドを使用した押し式の塗膜転写具において、転写ヘッドで塗膜が転写される前の転写テープから塗膜が剥離することがなく、塗膜転写時に蛇行しにくい塗膜転写具の提供。【解決手段】転写テープの繰出し部と、転写テープの塗膜を被転写体に転写する転写押圧部と、転写後の基材テープを巻き取る巻取り部が筐体に収納され、転写押圧部が転写押圧部の前方へ塗膜転写具を押し出して塗膜を転写するヘラ状の転写ヘッドである塗膜転写具において、塗膜を転写するためにヘラ状の転写ヘッドを被転写体へ押圧した際に、転写ヘッドへ進入する転写テープと被転写体がなす角度が６０度未満とならないように被転写体に対して回転可能に接触するローラが設けられた塗膜転写具。【選択図】図１
2015104866.tif 000002
【特許請求の範囲】
【請求項１】
基材テープに塗膜を設けた転写テープを繰出す繰出し部と、前記転写テープを被転写体に押圧して前記転写テープから前記塗膜を前記被転写体に転写する転写押圧部と、転写後の前記基材テープを巻き取る巻取り部が筐体に収納され、前記転写押圧部が前記転写押圧部の前方方向へ塗膜転写具を押し出して前記塗膜を前記被転写体に転写するヘラ状の転写ヘッドである塗膜転写具において、前記塗膜を転写するために前記ヘラ状の転写ヘッドを前記被転写体へ押圧した際に、前記転写ヘッドへ進入する前記転写テープと前記被転写体がなす角度が６０度未満とならないように前記被転写体に対して回転可能に接触するローラが設けられていることを特徴とする塗膜転写具。
【請求項２】
前記転写ヘッドで前記塗膜が転写された残りの前記基材テープが前記ローラの外周と接触することを特徴とする請求項１に記載の塗膜転写具。
【請求項３】
前記ローラは、前記ヘラ状の転写ヘッドに対して弾性変形可能な弾性片に取り付けられ、前記ヘラ状の転写ヘッドで塗膜が転写される前の前記転写テープと前記弾性片が接触し、前記弾性片が弾性変形することによって前記塗膜転写前の転写テープの塗膜が設けられていない背面を押すことを特徴とする請求項２に記載の塗膜転写具。
【請求項４】
前記弾性片の、前記転写テープの背面と接触する部分には、前記転写テープの進行方向側方への移動を規制するテープガイドが、転写テープの両側に設けられていることを特徴とする請求項３に記載の塗膜転写具。
【発明の詳細な説明】
【技術分野】
【０００１】
本発明は、基材テープに各種の塗膜を設けた転写テープの塗膜を紙などの被転写体に転写するために用いる塗膜転写具に関する。
【背景技術】
【０００２】
従来から、誤記を修正する修正用塗膜を転写テープから転写する修正テープ用の塗膜転写具や、接着用粘着剤塗膜を転写するのりテープ用の塗膜転写具などが使用されている。このような塗膜転写具では、塗膜を転写する際に、塗膜を転写しようとする転写位置が見えていることが好ましい。例えば、修正テープ用塗膜転写具では、誤記の修正に使用されるため、修正する文字や図などが塗膜転写具の使用者に見えていることが好ましい。使用者に修正する文字や図などが見えていることにより、使用者は修正しようとする文字や図の上に正確に修正用塗膜を転写することができる。使用者が塗膜を転写しようとする場所が見えている塗膜転写具として、従来から、塗膜を転写する転写ヘッドを転写ローラで構成し、転写ヘッドの前方方向へ塗膜転写具を押し出して、被転写体に塗膜を転写する塗膜転写具が使用されている。（以後、転写ヘッドの前方方向へ塗膜転写具を押し出して、塗膜を転写するタイプの塗膜転写具を、押し式の塗膜転写具と言う。）このような塗膜転写具を使用することにより、塗膜転写具を手前に引いて塗膜を転写する場合と比較して、転写位置が転写ヘッドの影にならず転写位置に対して塗膜を過不足なく転写することが可能となった。
【先行技術文献】
【特許文献】
【０００３】
【特許文献１】特願２０１２−１２４５７５
【発明の概要】
【発明が解決しようとする課題】
【０００４】
しかしながら、このような塗膜転写具では、転写ヘッドに転写ローラを使用しているため、塗膜転写の開始位置及び終了位置が転写ローラの影になって確認しづらく、転写位置の目視のし易さという点では不十分であった。一方、ヘラ状の転写ヘッドと塗膜転写時に被転写体と接して回転することにより転写テープに巻取り部方向への搬送力を与える搬送ローラ、及び塗膜転写具の外部へ突出して被転写体と接触する凸部を備えた塗膜転写具が特許文献１で提案されている。特許文献１の塗膜転写具を押し式の塗膜転写具に使用すると、塗膜転写の開始位置及び終了位置がより確認し易くなるが、修正テープのような基材テープと塗膜間の粘着力が比較的弱い転写テープを使用した場合には、図６に示すように被転写体に転写する前の転写ヘッド上で塗膜が基材テープから剥離し、被転写体に転写できなくなるという問題があった。
【０００５】
本発明は上記のような問題点に鑑みてなされたものであって、本発明が解決しようとする課題は、ヘラ状の転写ヘッドを使用した押し式の塗膜転写具において、転写ヘッドで塗膜が転写される前の転写テープから塗膜が剥離することがない塗膜転写具を提供することである。
【課題を解決するための手段】
【０００６】
第１発明は、基材テープに塗膜を設けた転写テープを繰出す繰出し部と、前記転写テープを被転写体に押圧して前記転写テープから前記塗膜を前記被転写体に転写する転写押圧部と、転写後の前記基材テープを巻き取る巻取り部が筐体に収納され、前記転写押圧部が前記転写押圧部の前方方向へ塗膜転写具を押し出して前記塗膜を前記被転写体に転写するヘラ状の転写ヘッドである塗膜転写具において、前記塗膜を転写するために前記ヘラ状の転写ヘッドを前記被転写体へ押圧した際に、前記転写ヘッドへ進入する前記転写テープと前記被転写体がなす角度が６０度未満とならないように前記被転写体に対して回転可能に接触するローラが設けられていることを特徴とする塗膜転写具である。
【０００７】
第２発明は、前記転写ヘッドで前記塗膜が転写された残りの前記基材テープが前記ローラの外周と接触することを特徴とする第１発明に記載の塗膜転写具である。
【０００８】
第３発明は、前記ローラは、前記ヘラ状の転写ヘッドに対して弾性変形可能な弾性片に取り付けられ、前記ヘラ状の転写ヘッドで塗膜が転写される前の前記転写テープと前記弾性片が接触し、前記弾性片が弾性変形することによって前記塗膜転写前の転写テープの塗膜が設けられていない背面を押すことを特徴とする第２発明に記載の塗膜転写具である。
【０００９】
第４発明は、前記弾性片の、前記転写テープの背面と接触する部分には、前記転写テープの進行方向側方への移動を規制するテープガイドが、転写テープの両側に設けられていることを特徴とする第３発明に記載の塗膜転写具である。
【発明の効果】
【００１０】
本発明の発明者らが鋭意研究した結果、押し式の塗膜転写具においてヘラ状の転写ヘッドを使用することによって、転写ヘッドで転写される前の塗膜が転写テープから剥離する原因は、転写ヘッドの先端部分で、転写テープの進行方向が急激に変更されることであると判明した。すなわち、転写ヘッドの先端へ進入する転写テープと、被転写体の平面がなす角度が小さいと、基材テープの進行方向が、転写ヘッドの先端で急激に変更される。この基材テープの急激な進路変更に、基材テープ上の塗膜が付いていくことができず、転写ヘッドの先端部で基材テープから塗膜が剥離するのである。
【００１１】
したがって、塗膜を転写するために転写ヘッドを被転写体に押圧する際に、転写ヘッドへ進入する転写テープと被転写体がなす角が小さくならないようにする手段を塗膜転写具に設けることにより、転写ヘッドで塗膜が転写される前の転写テープからの塗膜の剥離を防止することができる。転写ヘッドへ進入する転写テープと被転写体がなす角を６０度以上にすると、転写テープからの塗膜の剥離を防止する効果が大きい。また、前記の角が６０度未満とならないようにする手段として、塗膜転写時に被転写体上で回転するローラを用いると、塗膜転写具の被転写体上の移動抵抗が大きくなることがなく、塗膜転写具が蛇行しやすくなることもない。
【００１２】
すなわち、本発明では、ヘラ状の転写ヘッドを使用した押し式の塗膜転写具において、塗膜を転写するために転写ヘッドを被転写体に押圧した際に、転写ヘッドへ進入する転写テープと被転写体がなす角度が６０度未満とならないように被転写体に対して回転可能に接触するローラを設けたので、他の問題を発生させることなく、転写ヘッドで塗膜が転写される前の転写テープからの塗膜の剥離を防止することができた。
【図面の簡単な説明】
【００１３】
【図１】本発明の第１実施形態の塗膜転写具Ａ
【図２】本発明の第２実施形態の塗膜転写具Ｂ
【図３】本発明の第３実施形態の塗膜転写具Ｃ
【図４】本発明の第４実施形態の塗膜転写具Ｄ
【図５】従来の塗膜転写具Ｅ
【図６】転写ヘッドで塗膜が転写される前の転写テープからの塗膜が剥離した状態を示す図
【発明を実施するための形態】
【００１４】
本発明の第１実施形態の塗膜転写具Ａを図１に示す。図１（ａ）はカバーを除去した状態の塗膜転写具Ａの正面図であり、図１（ｂ）は塗膜転写具Ａのカバーをセットした状態の正面図であり、図１（ｃ）は塗膜転写具Ａの転写ヘッド部分の詳細を示す斜視図であり、図１（ｄ）は図１（ｃ）のＭ−Ｍ断面を示す図である。
【００１５】
塗膜転写具Ａは、図１に示すようにケ−ス１とカバー２からなる筐体、塗膜を塗布した転写テ−プＴを巻きまわした繰出しコア３、塗膜を紙等の被転写体に転写するヘラ状の転写ヘッド４、塗膜を転写した後の基材テ−プＴ１を巻取る巻取りコア５、繰出しコア３の回転を巻取りコア５に伝えるＯリング６、及び、塗膜転写具から突出した位置に回転可能に設けられたローラ７から構成されるものであるが、これに限定されるものではなく、転写テープＴの繰出し部、塗膜を転写した残りの基材テープを巻取る巻取り部、及び塗膜転写具から突出した位置に回転可能に設けられたローラを有し、ヘラ状の転写ヘッドで転写テープから塗膜を転写する押し式の塗膜転写具であれば、この形態に限定されるものではない。
【００１６】
塗膜転写具Ａの転写ヘッド４とローラ７が同時に被転写体に接触するように、転写ヘッド４を被転写体へ押圧すると、転写ヘッド４へ進入する転写テープＴと被転写体がなす角（図１（ｄ）の角Ｘ）が６０度以上となる位置に、ローラ７は設けられる。
【００１７】
ローラ７が被転写体と接触しないように、転写ヘッド４を被転写体に押圧すると、転写ヘッド４とローラ７が同時に被転写体に接触する場合に比べて、角Ｘは大きくなる。したがって、塗膜転写具Ａでは、塗膜を被転写体に転写するために、転写ヘッド４を被転写体に押圧すると、角Ｘは必ず６０度以上になる。角Ｘが必ず６０度以上となるので、塗膜転写具Ａでは、転写ヘッドで塗膜が転写される前の転写テープから塗膜が剥離することがない。また、塗膜転写具Ａでは、塗膜転写時に転写ヘッドとローラの２点を被転写体に接触させることによって、塗膜転写具を蛇行し難くすることができる。
【００１８】
本発明の第２実施形態の塗膜転写具Ｂを図２に示す。図２（ａ）は塗膜転写具Ｂの転写ヘッド部分の詳細を示す斜視図であり、図２（ｂ）は図２（ａ）のＭ−Ｍ断面を示す図である。
【００１９】
塗膜転写具Ｂでは、転写ヘッド４で塗膜を転写された残りの基材テープＴ１がローラ７の外周に接触した後、巻取りコア５に巻き取られるようになっている以外は、塗膜転写具Ａと同様である。
【００２０】
塗膜転写具Ｂでは、基材テープＴ１はローラ７の外周と接触した後に、巻取りコア５に巻き取られるので、転写ヘッド４とローラ７の両方を被転写体に押圧することによって、基材テープＴ１は転写ヘッド４とローラ７の両方から搬送力が付与される。このため、転写ヘッド４を被転写体に強く押圧しないでも、基材テープＴ１が巻取りコア５に巻き取られる。よって、塗膜転写具Ｂは、塗膜転写具Ａに比べて、小さい押圧力で塗膜を転写することができる。
【００２１】
本発明の第３実施形態である塗膜転写具Ｃを図３に示す。図３（ａ）は塗膜転写具Ｃの転写ヘッド部分の詳細を示す斜視図であり、図３（ｂ）は図３（ａ）のＭ−Ｍ断面を示す図である。
【００２２】
塗膜転写具Ｃは、前記ローラ７が、前記ヘラ状の転写ヘッド４に対して弾性変形可能な弾性片７１に取り付けられ、前記弾性片７１が、塗膜が転写される前の前記転写テープＴと接触し、前記弾性片７１が弾性変形することによって前記塗膜転写前の転写テープＴの塗膜が設けられていない背面を押すこと以外は、塗膜転写具Ｂと同様である。
【００２３】
転写ヘッド４とローラ７の両方を設けた塗膜転写具では、塗膜を被転写体に転写するために、転写ヘッド４を被転写体に押圧しようとして、誤ってローラ７のみが被転写体と接触した状態で塗膜転写具が移動されることがある。この場合、転写ヘッド４が被転写体と接触していないので、塗膜が転写されず転写不良となる。塗膜転写具Ｂでは、ローラ７の保持部は弾性変形しないので、ローラ７のみが被転写体と接触した状態で、使用者が塗膜転写具を移動する可能性が大きい。これに対して、塗膜転写具Ｃでは、転写ヘッド４よりも先にローラ７が被転写体に接触しても、ローラ７を保持する弾性片７１が弾性変形するので、転写ヘッド４とローラ７の２点で被転写体と接触することが可能となる。このため、使用者が誤って塗膜の転写不良を発生させることがない。
【００２４】
また、塗膜転写具Ｂでは、ローラ７の保持部が弾性変形しないのに対して、ヘラ状の転写ヘッド４は弾性変形して被転写体に沿う。ヘラ状の転写ヘッド４が被転写体に沿うように変形した状態では、ローラ７は被転写体に対して全幅に渡って均等な力で接触することができず、ローラ７は被転写体に対して偏って接触した状態になることがある。被転写体に対して偏って接触したローラ７上の基材テープＴ１は、ローラ７の幅方向の片側に押しやられるので、基材テープＴ１が走行不良となるおそれがある。
【００２５】
これに対して、塗膜転写具Ｃでは、ローラ７が前記弾性片７１に回転可能に取り付けられているので、転写ヘッド４とともにローラ７の保持部である弾性片７１も弾性変形し、転写ヘッド４とともにローラ７も被転写体の面と沿った状態となる。このため、塗膜転写具Ｃでは、塗膜転写具Ｂに比べて、基材テープＴ１の走行不良が発生し難くなる。
【００２６】
また、塗膜転写具Ｃでは、前記の弾性片７１が前記ヘラ状の転写ヘッド４で塗膜が転写される前の前記転写テープＴと接触し、弾性片７１が弾性変形することによって塗膜転写前の転写テープＴの塗膜が設けられていない背面を押すようになっている。このため、ローラ７が被転写体に押圧され弾性片７１が弾性変形すると、その分だけ転写ヘッド４へ進入する転写テープＴが持ち上げられるので、転写ヘッド４へ進入する転写テープＴと被転写体がなす角度が小さくなることがない。
【００２７】
本発明の第４実施形態である塗膜転写具Ｄを図４に示す。図４（ａ）は塗膜転写具Ｄの転写ヘッド部分の詳細を示す斜視図であり、図４（ｂ）は図４（ａ）のＭ−Ｍ断面を示す図である。
【００２８】
塗膜転写具Ｄは、前記弾性片７１の前記転写テープＴの背面と接触する部分に、前記転写テープＴの進行方向側方への移動を規制するテープガイド７２が、転写テープＴの両側に設けられていること以外は、塗膜転写具Ｃと同様である。
【００２９】
前記テープガイド７２が、転写テープＴの両側に設けられているので、前記弾性片７１に転写テープＴの背面が押されても、転写テープＴが左右に蛇行することがない。
【実施例】
【００３０】
つぎに本発明を実施例および比較例をあげて具体的に説明するが、本発明はこれらの実施例に限定されるものではない。特に本実施例では転写テープとして、修正テープを使用するが、本発明の転写テープは修正テープに限定されるものではない。
【００３１】
下記の組成の混合物を分散機にて２０分間混合して塗工液を調製し、これをコーターにて両面離型加工した厚さ１２μｍポリエチレンテレフタレートフィルムの片面に塗布、乾燥して厚さ２５μｍの隠蔽層を形成した。
成    分                                             重量部
酸化チタン                                              ２１
炭酸マグネシウム                                          ７
スチレン−エチレン−ブチレン−スチレン共重合体            ５
脂環式飽和炭化水素樹脂                                    ５
分散剤                                                    ２．５
トルエン                                                ５９．５
【００３２】
つぎに、前記隠蔽層の表面にアクリル樹脂系粘着剤の水性分散液（固形分２０重量％）を塗布、乾燥して厚さ１．２μｍの感圧接着層を形成して、修正テープを得た。
【００３３】
得られた修正テープを幅５ｍｍにスリットしながら１０ｍの長さを繰出しコア３に巻取り、パンケーキ状の修正テープを得た。得られたパンケーキ状修正テープを実施形態１〜４の塗膜転写具Ａ〜Ｄに装着し、それぞれ実施例１〜４の塗膜転写具を得た。また、得られたパンケーキ状修正テープを図５に示す塗膜転写具Ｅに装着し、比較例１の塗膜転写具を得た。塗膜転写具Ｅはローラ７、及びローラ７の保持部が無い以外は塗膜転写具Ａと同様の形状のものである。
【００３４】
被転写体としてＰＰＣ用紙を用い、転写ヘッドとローラをＰＰＣ用紙に押圧する押圧力を５．０Ｎ、塗膜転写具を移動する転写スピードを５ｃｍ／秒で、修正用塗膜を１回当たり長さ１０ｃｍで２０回転写し、転写ヘッドで転写される前に、転写テープから塗膜が剥離する転写不良の発生回数を確認した。この確認結果を表１に示す。なお、実施例１〜４の塗膜転写具Ａ〜Ｄについては、塗膜転写具を治具で固定した状態で、転写ヘッドとローラを被転写体に押圧することにより、転写ヘッドとローラが同じ力で被転写体に押圧されるようにした。比較例１の塗膜転写具Ｅについては、塗膜転写具を治具で固定した状態で、転写ヘッドを被転写体に押圧することにより、転写ヘッド４へ進入する転写テープＴと被転写体がなす角Ｘを変化させて、修正用塗膜を転写した。
【００３５】
【表１】
2015104866.tif 000003
【符号の説明】
【００３６】
Ａ、Ｂ、Ｃ、Ｄ、Ｅ  ：塗膜転写具  
Ｔ                  ：転写テープ
Ｔ１                ：基材テープ
１                  ：ケース  
２                  ：カバー
３                  ：繰出しコア
４                  ：転写ヘッド
５                  ：巻取りコア
６                  ：Ｏリング  
７                  ：ローラ
７１              ：弾性片
７２                ：テープガイド
【図１】
2015104866.tif 000004
【図２】
2015104866.tif 000005
【図３】
2015104866.tif 000006
【図４】
2015104866.tif 000007
【図５】
2015104866.tif 000008
【図６】
2015104866.tif 000009